【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
認可スペクトルを介してアップリンク許可を受信することと、
無認可スペクトルの利用可能性を決定するために、前記アップリンク許可に応答してクリアチャネルアセスメント（ＣＣＡ）を実行すること、前記ＣＣＡは前記アップリンク許可と関連した伝送の前に実行される、と、
を備え、
前記無認可スペクトルが利用できないという決定がなされる場合、前記認可スペクトルを使用してデータを送信すること
によって特徴付けられる、
ワイヤレス通信のための方法。
【請求項２】
前記無認可スペクトルが利用できるという決定がなされる場合、前記無認可スペクトルを使用してデータを送信することをさらに備える、請求項１に記載の方法。
【請求項３】
前記無認可スペクトルを使用してデータを送信することは、前記アップリンク許可によって示されるサブフレームの第１のサブセットの中でデータを送信することを備え、
前記認可スペクトルを使用してデータを送信することは、前記アップリンク許可によって示されるサブフレームの第２のサブセットの中でデータを送信することを備える、請求項２に記載の方法。
【請求項４】
サブフレームの前記第１および第２のサブセットの各々は、前記サブセットの中のいくつかのサブフレーム、前記サブセットの中の連続するサブフレーム間の時間間隔、および前記アップリンク許可の受信の時間と前記サブセットの中のサブフレームの最初の出現との間の初期オフセットのうちの、１つまたは複数の観点から規定される、請求項３に記載の方法。
【請求項５】
サブフレームの前記第１のサブセットは、サブフレームの前記第２のサブセットを含む、請求項３に記載の方法。
【請求項６】
サブフレームの前記第１および第２のサブセットは、同じサブフレームの中で開始する、請求項３に記載の方法。
【請求項７】
サブフレームの前記第１のサブセットは、第１のサブフレームの中で開始し、
サブフレームの前記第２のサブセットは、前記第１のサブフレームから遅延した第２のサブフレームの中で開始する、請求項３に記載の方法。
【請求項８】
認可スペクトルを介してスケジューリング情報を受信することと、
前記認可スペクトルを介してアップリンク許可を送信すること、前記アップリンク許可は、前記スケジューリング情報に少なくとも部分的に基づき、前記アップリンク許可は、前記アップリンク許可と関連した伝送の前に、無認可スペクトルの利用可能性を決定するためのクリアチャネルアセスメント（ＣＣＡ）をトリガするように構成される、と、
を備え、
前記無認可スペクトルが利用できないという決定がなされる場合、前記認可スペクトルを介してデータを受信すること、
によって特徴付けられる、
ワイヤレス通信のための方法。
【請求項９】
前記無認可スペクトルが利用できるという決定がなされる場合、前記無認可スペクトルを介してデータを受信することをさらに備える、請求項８に記載の方法。
【請求項１０】
前記無認可スペクトルを介してデータを受信することは、前記アップリンク許可によって示されるサブフレームの第１のサブセットを介して送信されたデータを受信することを備え、
前記認可スペクトルを介してデータを受信することは、前記アップリンク許可によって示されるサブフレームの第２のサブセットを介して送信されたデータを受信することを備える、請求項９に記載の方法。
【請求項１１】
サブフレームの前記第１のサブセットは、サブフレームの前記第２のサブセットを含む、請求項１０に記載の方法。
【請求項１２】
サブフレームの前記第１および第２のサブセットは、同じサブフレームの中で開始する、請求項１０に記載の方法。
【請求項１３】
サブフレームの前記第１のサブセットは、第１のサブフレームの中で開始し、
サブフレームの前記第２のサブセットは、前記第１のサブフレームから遅延した第２のサブフレームの中で開始する、請求項１０に記載の方法。
【請求項１４】
請求項１から請求項１３のいずれか一項に記載の方法を実行するための手段を備える装置。
【請求項１５】
プロセッサによって実行されると、請求項１から請求項１３のうちのいずれか一項に記載の方法を実行する命令を記憶した、コンピュータプログラム製品。
【手続補正２】
【補正対象書類名】明細書
【補正対象項目名】０２２１
【補正方法】変更
【補正の内容】
【０２２１】
[0237]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書に記載された例および設計に限定されるべきでなく、本明細書で開示される原理および新規の特徴に合致する最も広い範囲を与えられるべきである。
以下に本願の出願当初の特許請求の範囲に記載された発明を付記する。
[Ｃ１]  認可スペクトルを介してアップリンク許可を受信することと、
無認可スペクトルの利用可能性を決定するために、前記アップリンク許可に応答してクリアチャネルアセスメント（ＣＣＡ）を実行すること、前記ＣＣＡは前記アップリンク許可と関連した伝送の前に実行される、と、
を備える、ワイヤレス通信のための方法。
[Ｃ２]  前記無認可スペクトルが利用できるという決定がなされる場合、前記無認可スペクトルを使用してデータを送信することと、
前記無認可スペクトルが利用できないという決定がなされる場合、前記アップリンク許可を無視することとをさらに備えるＣ１に記載の方法。
[Ｃ３]  前記無認可スペクトルが利用できるという決定がなされる場合、前記無認可スペクトルを使用してデータを送信することと、
前記無認可スペクトルが利用できないという決定がなされる場合、前記無認可スペクトルの非利用可能性を示すシグナリングを、前記認可スペクトルを使用して送信することとをさらに備えるＣ１に記載の方法。
[Ｃ４]  前記無認可スペクトルが利用できるという決定がなされる場合、前記無認可スペクトルを使用してデータを送信することと、
前記無認可スペクトルが利用できないという決定がなされる場合、前記認可スペクトルを使用してデータを送信することとをさらに備えるＣ１に記載の方法。
[Ｃ５]  前記無認可スペクトルを使用してデータを送信することは、前記アップリンク許可によって示されるサブフレームの第１のサブセットの中でデータを送信することを備え、
前記認可スペクトルを使用してデータを送信することは、前記アップリンク許可によって示されるサブフレームの第２のサブセットの中でデータを送信することを備える、Ｃ４に記載の方法。
[Ｃ６]  サブフレームの前記第１および第２のサブセットの各々は、前記サブセットの中のいくつかのサブフレーム、前記サブセットの中の連続するサブフレーム間の時間間隔、および前記アップリンク許可の受信の時間と前記サブセットの中のサブフレームの最初の出現との間の初期オフセットのうちの、１つまたは複数の観点から規定される、Ｃ５に記載の方法。
[Ｃ７]  サブフレームの前記第１のサブセットは、サブフレームの前記第２のサブセットを含む、Ｃ５に記載の方法。
[Ｃ８]  サブフレームの前記第１および第２のサブセットは、同じサブフレームの中で開始する、Ｃ５に記載の方法。
[Ｃ９]  サブフレームの前記第１のサブセットは、第１のサブフレームの中で開始し、
サブフレームの前記第２のサブセットは、前記第１のサブフレームから遅延した第２のサブフレームの中で開始する、Ｃ５に記載の方法。
[Ｃ１０]  前記アップリンク許可は、アップリンク許可の優先シーケンスを備え、前記優先シーケンスの中の各アップリンク許可は、それぞれのコンポーネントキャリアに関連付けられ、
前記無認可スペクトルの利用可能性を決定するためにＣＣＡを実行することは、
利用可能性を決定するために、アップリンク許可の前記優先シーケンスに関連付けられている前記コンポーネントキャリアのうちの少なくとも１つでＣＣＡを実行することと、
データを送信する際の使用のために利用できると認められた前記コンポーネントキャリアのうちの１つを識別することと
を備える、
Ｃ１に記載の方法。
[Ｃ１１]  前記優先シーケンスの中の前記アップリンク許可のサブセットに対応する前記コンポーネントキャリアは、利用できると認められ、
データを送信する際の使用のための前記１つのコンポーネントキャリアを識別することは、利用できると認められた前記コンポーネントキャリアの中から、前記サブセットの中で最も優先度の高い前記アップリンク許可に対応する前記１つを選択することを備える、
Ｃ１０に記載の方法。
[Ｃ１２]  前記優先シーケンスの中の各アップリンク許可は、
前記それぞれのコンポーネントキャリアに対する物理リソースブロック（ＰＲＢ）のセット、および
前記アップリンク許可が適用できるサブフレームのサブセット
のうちの１つまたは複数をさらに備える、
Ｃ１０に記載の方法。
[Ｃ１３]  サブフレームの前記サブセットは、前記サブセットの中のいくつかのサブフレーム、前記サブセットの中の連続するサブフレーム間の時間間隔、および前記アップリンク許可の受信の時間と前記サブセットの中のサブフレームの最初の出現との間の初期オフセットのうちの、１つまたは複数の観点から規定される、Ｃ１２に記載の方法。
[Ｃ１４]  前記優先シーケンスの中のアップリンク許可の中のパラメータは、前記優先シーケンスの中の別のアップリンク許可の中のそれぞれのパラメータから暗黙のうちに決定される、Ｃ１０に記載の方法。
[Ｃ１５]  前記優先シーケンスの相異なるアップリンク許可の中のパラメータ間の暗黙の関係は、無線リソース制御（ＲＲＣ）シグナリングを通じて少なくとも部分的に規定される、Ｃ１０に記載の方法。
[Ｃ１６]  ＰＲＢのセットに対する前記無認可スペクトル上での最大アップリンクデータレートの指示を、前記認可スペクトルを介して受信することと、
前記指示に応答してサブフレームの中でＣＣＡを実行すること、前記ＣＣＡは、次のサブフレームの中でデータを送信するための、前記無認可スペクトル中のＰＲＢの前記セットに対するコンポーネントキャリアの利用可能性を決定するために実行される、と、
をさらに備えるＣ１に記載の方法。
[Ｃ１７]  前記無認可スペクトル中のＰＲＢの前記セットに対する前記コンポーネントキャリアが利用できるという決定がなされる場合、前記無認可スペクトルを使用してデータを送信することと、
前記無認可スペクトル中のＰＲＢの前記セットに対する前記コンポーネントキャリアが利用できないという決定がなされる場合、前記次のサブフレームの中でＣＣＡを実行することとをさらに備えるＣ１６に記載の方法。
[Ｃ１８]  前記無認可スペクトル中のＰＲＢの前記セットに対する前記コンポーネントキャリアが利用できるという決定がなされる場合、前記無認可スペクトルを使用してデータを送信することと、
前記無認可スペクトル中のＰＲＢの前記セットに対する前記コンポーネントキャリアが利用できないという決定がなされる場合、前記認可スペクトルを使用してデータを送信することとをさらに備えるＣ１６に記載の方法。
[Ｃ１９]  ＰＲＢの前記同じセットは、複数のユーザの各々に前記無認可スペクトルの前記アップリンク上で割り当てられる、Ｃ１６に記載の方法。
[Ｃ２０]  ＰＲＢの前記同じセットが割り当てられた前記複数のユーザから送信されるデータは、逐次干渉除去（ＳＩＣ）を使用して復号される、Ｃ１９に記載の方法。
[Ｃ２１]  ＰＲＢの前記同じセットが割り当てられた前記複数のユーザは、直交復調基準信号（ＤＭ−ＲＳ）シーケンスが割り当てられる、Ｃ１９に記載の方法。
[Ｃ２２]  前記複数のユーザの各々は、別個のスクランブリングコードが割り当てられる、Ｃ２１に記載の方法。
[Ｃ２３]  前記無認可スペクトル中のＰＲＢの前記セットに対する前記コンポーネントキャリアが利用できるという決定がなされる場合、前記方法は、
割り当てられた直交ＤＭ−ＲＳシーケンスおよび割り当てられたスクランブリングコードのうちの一方または両方に従って、アップリンクデータ、アップリンク制御信号、およびアップリンク基準信号のうちの１つまたは複数を送信すること
をさらに備える、
Ｃ１６に記載の方法。
[Ｃ２４]  前記アップリンクデータ、前記アップリンク制御信号、および前記アップリンク基準信号のうちの前記１つまたは複数と一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を送信することをさらに備えるＣ２３に記載の方法。
[Ｃ２５]  基地局が前記アップリンク許可をスケジュールするために、スケジューリング要求、バッファステータス報告、および電力ヘッドルーム報告のうちの１つまたは複数を送信することをさらに備えるＣ１に記載の方法。
[Ｃ２６]  前記電力ヘッドルーム報告は、前記認可スペクトルと関連した電力ヘッドルームと、前記無認可スペクトルと関連した電力ヘッドルームとを示す、Ｃ２５に記載の方法。
[Ｃ２７]  前記アップリンク許可によって示される変調コーディング方式（ＭＣＳ）からの変更を識別することと、
前記アップリンク許可によって割り振られたＰＲＢ内のリソース要素のセットを介してメッセージを送信すること、前記メッセージは、ＭＣＳの前記識別された変更を示す、と
をさらに備えるＣ１に記載の方法。
[Ｃ２８]  前記アップリンク許可は、アップリンク伝送に対してＭＣＳを割り振ることなく、アップリンク伝送に対してＰＲＢを割り振り、前記方法は、
前記アップリンク許可を受信すると、アップリンク伝送に対して前記ＭＣＳを決定することと、
アップリンク伝送に対して割り振られた前記ＰＲＢ内のリソース要素のセットを介してメッセージを送信すること、前記メッセージは、アップリンク伝送に対して決定された前記ＭＣＳを示す、と
をさらに備える、
Ｃ１に記載の方法。
[Ｃ２９]  プロセッサと、
前記プロセッサと電子通信しているメモリと、
前記メモリに記憶された命令、
前記命令は、
認可スペクトルを介してアップリンク許可を受信する、および
無認可スペクトルの利用可能性を決定するために、前記アップリンク許可に応答してクリアチャネルアセスメント（ＣＣＡ）を実行する、前記ＣＣＡは、前記アップリンク許可と関連した伝送の前に実行される、
ように前記プロセッサによって実行可能である、と、
を備えるワイヤレス通信のための装置。
[Ｃ３０]  前記命令は、
前記無認可スペクトルが利用できるという決定がなされる場合、前記無認可スペクトルを使用してデータを送信する、および
前記無認可スペクトルが利用できないという決定がなされる場合、前記アップリンク許可を無視する、
ように前記プロセッサによって実行可能である、Ｃ２９に記載の装置。
[Ｃ３１]  前記命令は、
前記無認可スペクトルが利用できるという決定がなされる場合、前記無認可スペクトルを使用してデータを送信する、および
前記無認可スペクトルが利用できないという決定がなされる場合、前記無認可スペクトルの非利用可能性を示すシグナリングを、前記認可スペクトルを使用して送信する、
ように前記プロセッサによって実行可能である、Ｃ２９に記載の装置。
[Ｃ３２]  前記命令は、
前記無認可スペクトルが利用できるという決定がなされる場合、前記無認可スペクトルを使用してデータを送信する、および
前記無認可スペクトルが利用できないという決定がなされる場合、前記認可スペクトルを使用してデータを送信する、
ように前記プロセッサによって実行可能である、Ｃ２９に記載の装置。
[Ｃ３３]  前記無認可スペクトルを使用してデータを送信するように前記プロセッサによって実行可能な前記命令は、前記アップリンク許可によって示されるサブフレームの第１のサブセットの中でデータを送信するように前記プロセッサによって実行可能な命令を備え、
前記認可スペクトルを使用してデータを送信するように前記プロセッサによって実行可能な前記命令は、前記アップリンク許可によって示されるサブフレームの第２のサブセットの中でデータを送信するように前記プロセッサによって実行可能な命令を備える、
Ｃ３２に記載の装置。
[Ｃ３４]  サブフレームの前記第１および第２のサブセットの各々は、前記サブセットの中のいくつかのサブフレーム、前記サブセットの中の連続するサブフレーム間の時間間隔、および前記アップリンク許可の受信の時間と前記サブセットの中のサブフレームの最初の出現との間の初期オフセットのうちの、１つまたは複数の観点から規定される、Ｃ３３に記載の装置。
[Ｃ３５]  サブフレームの前記第１のサブセットは、第１のサブフレームの中で開始し、
サブフレームの前記第２のサブセットは、前記第１のサブフレームから遅延した第２のサブフレームの中で開始する、Ｃ３３に記載の装置。
[Ｃ３６]  前記アップリンク許可は、アップリンク許可の優先シーケンスを備え、前記優先シーケンスの中の各アップリンク許可は、それぞれのコンポーネントキャリアに関連付けられ、
前記無認可スペクトルの利用可能性を決定するためにＣＣＡを実行するように前記プロセッサによって実行可能な前記命令は、
利用可能性を決定するために、アップリンク許可の前記優先シーケンスに関連付けられている前記コンポーネントキャリアのうちの少なくとも１つでＣＣＡを実行する、および
データを送信する際の使用のために利用できると認められた前記コンポーネントキャリアのうちの１つを識別する、
ように前記プロセッサによって実行可能な命令を備える、
Ｃ２９に記載の装置。
[Ｃ３７]  前記優先シーケンスの中の各アップリンク許可は、
前記それぞれのコンポーネントキャリアに対する物理リソースブロック（ＰＲＢ）のセット、および
前記アップリンク許可が適用できるサブフレームのサブセット
のうちの１つまたは複数をさらに備える、
Ｃ３６に記載の装置。
[Ｃ３８]  サブフレームの前記サブセットは、前記サブセットの中のいくつかのサブフレーム、前記サブセットの中の連続するサブフレーム間の時間間隔、および前記アップリンク許可の受信の時間と前記サブセットの中のサブフレームの最初の出現との間の初期オフセットのうちの、１つまたは複数の観点から規定される、Ｃ３７に記載の装置。
[Ｃ３９]  前記優先シーケンスの相異なるアップリンク許可の中のパラメータ間の暗黙の関係は、無線リソース制御（ＲＲＣ）シグナリングを通じて少なくとも部分的に規定される、Ｃ３６に記載の装置。
[Ｃ４０]  前記命令は、
ＰＲＢのセットに対する前記無認可スペクトル上での最大アップリンクデータレートの指示を、前記認可スペクトルを介して受信する、および
前記指示に応答してサブフレームの中でＣＣＡを実行する、前記ＣＣＡは、次のサブフレームの中でデータを送信するための、前記無認可スペクトル中のＰＲＢの前記セットに対するコンポーネントキャリアの利用可能性を決定するために実行される、
ように前記プロセッサによって実行可能である、
Ｃ２９に記載の装置。
[Ｃ４１]  前記命令は、
前記無認可スペクトル中のＰＲＢの前記セットに対する前記コンポーネントキャリアが利用できるという決定がなされる場合、前記無認可スペクトルを使用してデータを送信する、および
前記無認可スペクトル中のＰＲＢの前記セットに対する前記コンポーネントキャリアが利用できないという決定がなされる場合、前記次のサブフレームの中でＣＣＡを実行する
ように前記プロセッサによって実行可能である、
Ｃ４０に記載の装置。
[Ｃ４２]  前記命令は、
前記無認可スペクトル中のＰＲＢの前記セットに対する前記コンポーネントキャリアが利用できるという決定がなされる場合、前記無認可スペクトルを使用してデータを送信する、および
前記無認可スペクトル中のＰＲＢの前記セットに対する前記コンポーネントキャリアが利用できないという決定がなされる場合、前記認可スペクトルを使用してデータを送信する
ように前記プロセッサによって実行可能である、
Ｃ４０に記載の装置。
[Ｃ４３]  ＰＲＢの前記同じセットは、複数のユーザの各々に前記無認可スペクトルの前記アップリンク上で割り当てられる、Ｃ４０に記載の装置。
[Ｃ４４]  ＰＲＢの前記同じセットが割り当てられた前記複数のユーザから送信されるデータは、逐次干渉除去（ＳＩＣ）を使用して復号される、Ｃ４３に記載の装置。
[Ｃ４５]  ＰＲＢの前記同じセットが割り当てられた前記複数のユーザは、直交復調基準信号（ＤＭ−ＲＳ）シーケンスが割り当てられる、Ｃ４３に記載の装置。
[Ｃ４６]  前記複数のユーザの各々は、別個のスクランブリングコードが割り当てられる、Ｃ４５に記載の装置。
[Ｃ４７]  前記無認可スペクトル中のＰＲＢの前記セットに対する前記コンポーネントキャリアが利用できるという決定がなされる場合、前記命令は、
割り当てられた直交ＤＭ−ＲＳシーケンスおよび割り当てられたスクランブリングコードのうちの一方または両方に従って、アップリンクデータ、アップリンク制御信号、およびアップリンク基準信号のうちの１つまたは複数を送信する
ように前記プロセッサによって実行可能である、
Ｃ４０に記載の装置。
[Ｃ４８]  前記命令は、
前記アップリンクデータ、前記アップリンク制御信号、および前記アップリンク基準信号のうちの前記１つまたは複数と一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を送信する
ように前記プロセッサによって実行可能である、
Ｃ４７に記載の装置。
[Ｃ４９]  前記命令は、
基地局が前記アップリンク許可をスケジュールするために、スケジューリング要求、バッファステータス報告、および電力ヘッドルーム報告のうちの１つまたは複数を送信する
ように前記プロセッサによって実行可能である、
Ｃ２９に記載の装置。
[Ｃ５０]  前記アップリンク許可は、アップリンク伝送に対して変調コーディング方式（ＭＣＳ）を割り振ることなく、アップリンク伝送に対してＰＲＢを割り振り、
前記命令は、
前記アップリンク許可を受信すると、アップリンク伝送に対して前記ＭＣＳを決定する、および
アップリンク伝送に対して割り振られた前記ＰＲＢ内のリソース要素のセットを介してメッセージを送信する、前記メッセージは、アップリンク伝送に対して決定された前記ＭＣＳを示す、
ように前記プロセッサによって実行可能である、
Ｃ２９に記載の装置。
[Ｃ５１]  認可スペクトルを介してアップリンク許可を受信するための手段と、
無認可スペクトルの利用可能性を決定するために、前記アップリンク許可に応答してクリアチャネルアセスメント（ＣＣＡ）を実行するための手段、前記ＣＣＡは、前記アップリンク許可と関連した伝送の前に実行される、と
を備えるワイヤレス通信のための装置。
[Ｃ５２]  前記無認可スペクトルが利用できるという決定がなされる場合、前記無認可スペクトルを使用してデータを送信するための手段と、
前記無認可スペクトルが利用できないという決定がなされる場合、前記アップリンク許可を無視するための手段とをさらに備えるＣ５１に記載の装置。
[Ｃ５３]  前記無認可スペクトルが利用できるという決定がなされる場合、前記無認可スペクトルを使用してデータを送信するための手段と、
前記無認可スペクトルが利用できないという決定がなされる場合、前記無認可スペクトルの非利用可能性を示すシグナリングを、前記認可スペクトルを使用して送信するための手段とをさらに備えるＣ５１に記載の装置。
[Ｃ５４]  前記無認可スペクトルが利用できるという決定がなされる場合、前記無認可スペクトルを使用してデータを送信するための手段と、
前記無認可スペクトルが利用できないという決定がなされる場合、前記認可スペクトルを使用してデータを送信するための手段とをさらに備えるＣ５１に記載の装置。
[Ｃ５５]  ワイヤレス通信のためのコンピュータプログラム製品であって、
前記コンピュータプログラム製品は、
認可スペクトルを介してアップリンク許可を受信する、および
無認可スペクトルの利用可能性を決定するために、前記アップリンク許可に応答してクリアチャネルアセスメント（ＣＣＡ）を実行する、前記ＣＣＡは、前記アップリンク許可と関連した伝送の前に実行される、
ようにプロセッサによって実行可能な命令を記憶する非一時的コンピュータ可読媒体
を備える、
ワイヤレス通信のためのコンピュータプログラム製品。
[Ｃ５６]  前記命令は、
前記無認可スペクトルが利用できるという決定がなされる場合、前記無認可スペクトルを使用してデータを送信する、および
前記無認可スペクトルが利用できないという決定がなされる場合、前記アップリンク許可を無視する
ように前記プロセッサによって実行可能である、
Ｃ５５に記載のコンピュータプログラム製品。
[Ｃ５７]  前記命令は、
前記無認可スペクトルが利用できるという決定がなされる場合、前記無認可スペクトルを使用してデータを送信する、および
前記無認可スペクトルが利用できないという決定がなされる場合、前記無認可スペクトルの非利用可能性を示すシグナリングを、前記認可スペクトルを使用して送信する
ように前記プロセッサによって実行可能である、
Ｃ５５に記載のコンピュータプログラム製品。
[Ｃ５８]  前記命令は、
前記無認可スペクトルが利用できるという決定がなされる場合、前記無認可スペクトルを使用してデータを送信する、および
前記無認可スペクトルが利用できないという決定がなされる場合、前記認可スペクトルを使用してデータを送信する
ように前記プロセッサによって実行可能である、
Ｃ５５に記載のコンピュータプログラム製品。
[Ｃ５９]  認可スペクトルを介してスケジューリング情報を受信することと、
前記認可スペクトルを介してアップリンク許可を送信すること、前記アップリンク許可は、前記スケジューリング情報に少なくとも部分的に基づき、前記アップリンク許可は、前記アップリンク許可と関連した伝送の前に、無認可スペクトルの利用可能性を決定するためのクリアチャネルアセスメント（ＣＣＡ）をトリガするように構成される、と、
を備える、ワイヤレス通信のための方法。
[Ｃ６０]  前記無認可スペクトルが利用できるという決定がなされる場合、前記無認可スペクトルを介してデータを受信することと、
前記無認可スペクトルが利用できないという決定がなされる場合、前記認可スペクトルを介してデータを受信することとをさらに備えるＣ５９に記載の方法。
[Ｃ６１]  前記無認可スペクトルを介してデータを受信することは、前記アップリンク許可によって示されるサブフレームの第１のサブセットを介して送信されたデータを受信することを備え、
前記認可スペクトルを介してデータを受信することは、前記アップリンク許可によって示されるサブフレームの第２のサブセットを介して送信されたデータを受信することを備える、Ｃ６０に記載の方法。
[Ｃ６２]  サブフレームの前記第１のサブセットは、サブフレームの前記第２のサブセットを含む、Ｃ６１に記載の方法。
[Ｃ６３]  サブフレームの前記第１および第２のサブセットは、同じサブフレームの中で開始する、Ｃ６１に記載の方法。
[Ｃ６４]  サブフレームの前記第１のサブセットは、第１のサブフレームの中で開始し、
サブフレームの前記第２のサブセットは、前記第１のサブフレームから遅延した第２のサブフレームの中で開始する、Ｃ６１に記載の方法。
[Ｃ６５]  サブフレームの前記第１のサブセットを介して送信されたデータが受信される場合、サブフレームの前記第２のサブセットを介したデータの前記伝送と関連した前記認可スペクトルの中のリソースを解放することをさらに備えるＣ６４に記載の方法。
[Ｃ６６]  前記スケジューリング情報は、
スケジューリング要求、
バッファステータス報告、ならびに
前記認可スペクトルと関連した電力ヘッドルームおよび前記無認可スペクトルと関連した電力ヘッドルームを示す電力ヘッドルーム報告のうちの１つまたは複数を備える、Ｃ５９に記載の方法。
[Ｃ６７]  物理リソースブロック（ＰＲＢ）の同じセットを、前記無認可スペクトルの前記アップリンク上の複数のユーザに、前記送信されたアップリンク許可に少なくとも部分的に基づいて割り当てることと、
前記割り当てられたＰＲＢを使用する前記複数のユーザからアップリンクデータを受信することと、
前記アップリンクデータを逐次干渉除去（ＳＩＣ）を使用して復号することとをさらに備えるＣ５９に記載の方法。
[Ｃ６８]  直交復調基準信号（ＤＭ−ＲＳ）シーケンスおよびスクランブリングコードのうちの一方または両方を、前記複数のユーザの各々に、前記アップリンクデータの伝送のために割り当てることをさらに備えるＣ６７に記載の方法。
[Ｃ６９]  前記複数のユーザの各々から、前記アップリンクデータと一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を受信することをさらに備えるＣ６７に記載の方法。
[Ｃ７０]  プロセッサと、
前記プロセッサと電子通信しているメモリと、
前記メモリに記憶された命令、
前記命令は、
認可スペクトルを介してスケジューリング情報を受信する、および
前記認可スペクトルを介してアップリンク許可を送信する、前記アップリンク許可は、前記スケジューリング情報に少なくとも部分的に基づき、前記アップリンク許可は、前記アップリンク許可と関連した伝送の前に、無認可スペクトルの利用可能性を決定するためのクリアチャネルアセスメント（ＣＣＡ）をトリガするように構成される、    ように前記プロセッサによって実行可能である、と、
を備えるワイヤレス通信のための装置。
[Ｃ７１]  前記命令は、
前記無認可スペクトルが利用できるという決定がなされる場合、前記無認可スペクトルを介してデータを受信する、および
前記無認可スペクトルが利用できないという決定がなされる場合、前記認可スペクトルを介してデータを受信する
ように前記プロセッサによって実行可能である、
Ｃ７０に記載の装置。
[Ｃ７２]  前記無認可スペクトルを介してデータを受信するように前記プロセッサによって実行可能な前記命令は、前記アップリンク許可によって示されるサブフレームの第１のサブセットを介して送信されたデータを受信するように前記プロセッサによって実行可能な命令を備え、
前記認可スペクトルを介してデータを受信するように前記プロセッサによって実行可能な前記命令は、前記アップリンク許可によって示されるサブフレームの第２のサブセットを介して送信されたデータを受信するように前記プロセッサによって実行可能な命令を備える、
Ｃ７１に記載の装置。
[Ｃ７３]  前記スケジューリング情報は、
スケジューリング要求、
バッファステータス報告、ならびに
前記認可スペクトルと関連した電力ヘッドルームおよび前記無認可スペクトルと関連した電力ヘッドルームを示す電力ヘッドルーム報告
のうちの１つまたは複数を備える、
Ｃ７０に記載の装置。
[Ｃ７４]  認可スペクトルを介してスケジューリング情報を受信するための手段と、
前記認可スペクトルを介してアップリンク許可を送信するための手段、前記アップリンク許可は、前記スケジューリング情報に少なくとも部分的に基づき、前記アップリンク許可は、前記アップリンク許可と関連した伝送の前に、無認可スペクトルの利用可能性を決定するためのクリアチャネルアセスメント（ＣＣＡ）をトリガするように構成される、と、
を備えるワイヤレス通信のための装置。
[Ｃ７５]  前記無認可スペクトルが利用できるという決定がなされる場合、前記無認可スペクトルを介してデータを受信するための手段と、
前記無認可スペクトルが利用できないという決定がなされる場合、前記認可スペクトルを介してデータを受信するための手段とをさらに備えるＣ７４に記載の装置。
[Ｃ７６]  前記無認可スペクトルを介してデータを受信するための手段は、前記アップリンク許可によって示されるサブフレームの第１のサブセットを介して送信されたデータを受信することを備え、
前記認可スペクトルを介してデータを受信するための手段は、前記アップリンク許可によって示されるサブフレームの第２のサブセットを介して送信されたデータを受信することを備える、Ｃ７５に記載の装置。
[Ｃ７７]  ワイヤレス通信のためのコンピュータプログラム製品であって、
前記コンピュータプログラム製品は、
認可スペクトルを介してスケジューリング情報を受信する、および
前記認可スペクトルを介してアップリンク許可を送信する、前記アップリンク許可は、前記スケジューリング情報に少なくとも部分的に基づき、前記アップリンク許可は、前記アップリンク許可と関連した伝送の前に、無認可スペクトルの利用可能性を決定するためのクリアチャネルアセスメント（ＣＣＡ）をトリガするように構成される、
ようにプロセッサによって実行可能な命令を記憶する非一時的コンピュータ可読媒体
を備える、
ワイヤレス通信のためのコンピュータプログラム製品。
[Ｃ７８]  前記命令は、
前記無認可スペクトルが利用できるという決定がなされる場合、前記無認可スペクトルを介してデータを受信する、および
前記無認可スペクトルが利用できないという決定がなされる場合、前記認可スペクトルを介してデータを受信する
ように前記プロセッサによって実行可能である、
Ｃ７７に記載のコンピュータプログラム製品。
[Ｃ７９]  前記無認可スペクトルを介してデータを受信するように前記プロセッサによって実行可能な前記命令は、前記アップリンク許可によって示されるサブフレームの第１のサブセットを介して送信されたデータを受信するように前記プロセッサによって実行可能な命令を備え、
前記認可スペクトルを介してデータを受信するように前記プロセッサによって実行可能な前記命令は、前記アップリンク許可によって示されるサブフレームの第２のサブセットを介して送信されたデータを受信するように前記プロセッサによって実行可能な命令を備える、Ｃ７８に記載のコンピュータプログラム製品。